(57)【要約】  投写型ディスプレイであって、ライトエンジンの出力端を包囲するシールドを備え、シールドは、ほこり及び迷光の投写型ディスプレイのライトボックスへの侵入を防ぐ、ところの投写型ディスプレイを説明する。投写型ディスプレイは、キャビネットと、キャビネットにマウントされ且つ出力端及び電子端を有するライトエンジンと、キャビネットにマウントされライトエンジンを覆う取り外し可能な前蓋と、出力端と電子端との間のライトエンジンを包囲するシールドと、を含む。
2007535707.tif 000002
【特許請求の範囲】
【請求項１】
キャビネットと；
該キャビネットにマウントされるライトエンジンであって、出力端及び電子端を有するライトエンジンと；
前記キャビネットに形成され、前記ライトエンジンの前記出力端を包囲する受け溝と；
前記ライトエンジンの前記出力端を包囲するシールドであり、前記受け溝にマウントされる第１縁部を有するシールドと、
を有する、
投写型ディスプレイ。
【請求項２】
前記キャビネットにマウントされて前記ライトエンジンを覆う取り外し可能な前蓋を更に有し、当該前蓋は中に溝を形成し、且つ前記シールドは第２縁部を前記第１縁部の反対側に有し、当該第２縁部は前記前蓋における前記溝に収容される、
請求項１記載の投写型ディスプレイ。
【請求項３】
前記前蓋は取り外し可能に前記キャビネットへ締結され、且つ前記ライトエンジンは、前記前蓋が取り外された前記投写型ディスプレイの前方からアクセス可能である、
請求項２記載の投写型ディスプレイ。
【請求項４】
前記シールドは弾性的に変形可能なシート素材を含む、
請求項１記載の投写型ディスプレイ。
【請求項５】
シールが、前記ライトエンジンに隣接して設けられ前記ライトエンジンの外面へ適合する、
請求項１記載の投写型ディスプレイ。
【請求項６】
投写型ディスプレイの電子領域を前記投写型ディスプレイのライトボックスから隔てるシールド構成であって：
ライトエンジンを有するキャビネットであり、前記ライトエンジンは出力端が前記ライトボックスに配置され且つ電子端が前記電子領域に配置される、ところのキャビネットと；
該キャビネットに形成され、前記ライトエンジンの前記出力端を包囲する受け溝と；
該受け溝に挿入される第１縁部を有し且つ前記ライトエンジン周りを前記電子領域と前記ライトボックスとの間に突出する弾性的に可撓性のシールドと、
を有する、
シールド構成。
【請求項７】
前記シールドは前記キャビネットへ取り付けられる前蓋によって前記受け溝に保持される、
請求項６記載のシールド構成。
【請求項８】
前記前蓋は前記前蓋の中に形成される溝を有して、前記第１縁部とは反対側の前記シールドの第２端部を収容する、
請求項７記載のシールド構成。
【請求項９】
前記シールドはシート素材を有し、該シート素材は、手によって変形されて前記ライトエンジン周りに嵌合するのに十分な可撓性を有する、
請求項６記載のシールド構成。
【発明の詳細な説明】
【技術分野】
【０００１】
本出願は、２００４年４月２９日に出願された米国仮特許出願第６０／５６６，３７１号明細書、発明の名称「投写型ディスプレイ用ライトボックスバリアシステム」の優先権を主張し、その全体を参照により本明細書に引用する。
【０００２】
本発明は、概して投写型ディスプレイに係り、特に、投写型ディスプレイのライトエンジンに係る。
【背景技術】
【０００３】
投写型ディスプレイテレビジョンが抱える典型的な課題が、ほこりを、レンズ、スクリーン及びミラーを含有する閉鎖領域（以降、ライトボックスと呼ぶ）に侵入させない状態を保つことである。また、ランプ組立体からの迷光が、ライトボックスに入り込む場合があり、投写型テレビジョンの性能を低下させてしまう。ライトプロジェクタがキャビネットへマウントされているこの区画室の封止は、最も困難である。ほこり及び迷光を遮断する必要性が、「アップアングル（upangle）」光学システムが用いられた次世代「薄型ＤＬＰ」セットに対して高まっている。ミラーからのレイパスが浅い視射角の場合、ほこりの粒子が、より大きな影を投げかけ、それ故、画像の性能が低下する。
【０００４】
マイクロディスプレイ投写型ディスプレイの幾つかが、レンズの胴周りを単に封止するフォームシール（foam-seal)を利用する。何故なら、フォームシールは、ライトボックス筐体における開口を通過するからである。薄型ＤＬＰセットにおける形状寸法の制限により、バリアの設置が、ライトエンジンが所定の位置に置かれた後に成される必要があり、且つバリアは、ライトエンジンの小型の調整装置の受け入れができる必要がある。
【発明の開示】
【発明が解決しようとする課題】
【０００５】
本発明は、投写型ディスプレイを提供することを目的とする。当該投写型ディスプレイは、ライトエンジンを包囲するシールドを備えて、投写型ディスプレイのライトボックスにほこりが入ることを防止する。
【課題を解決するための手段】
【０００６】
投写型ディスプレイは、キャビネット又はシャーシと、キャビネットにマウントされ且つ出力端及び電子端を有するライトエンジンと、キャビネットにマウントされライトエンジンを覆う取り外し可能な前蓋と、上記ライトエンジンの上記出力端を包囲するシールドと、を含む。受け溝が、キャビネットにおいて形成されて、ライトエンジンを包囲する。シールドは、受け溝にマウントされる第１縁部を有する。
【発明を実施するための最良の形態】
【０００７】
本発明の好ましい実施形態を、添付の図面を参照しながら、説明する。
【０００８】
本発明の例示的な実施形態に従って、投写型ディスプレイを提供する。投写型ディスプレイは、ライトエンジンを包囲するシールドを備えて、投写型ディスプレイのライトボックスにほこりが入ることを防止する。図１Ａ及び図１Ｂに示すように、投写型ディスプレイは、キャビネット１０を含む。キャビネット１０は、成型プラスチックから形成され且つ電子領域（electronic  area）３０及びライトボックス２０を含む。ライトエンジン４０が、出力端４０ａ及び電子端４０ｂを含む。出力端４０ａからは光パターンが、投写される。電子端４０ｂは、そのなかにランプ及び種々の電子構成部品を有する。ライトエンジン４０は、出力端４０ａとともにキャビネット１０のライトボックス２０にマウントされ且つ電子端４０ｂとともに電子領域３０にマウントされる。図１Ａに示されるように、スクリーン１２が、ライトボックス２０の上にマウントされる。
【０００９】
取り外し可能な前蓋１４（図２に示す）が、キャビネット１０に設置されたときライトエンジン４０及び電子領域３０を覆う。
【００１０】
シールド５０が、設置されて、ライトエンジン４０の出力端４０ａを包囲する。シールド５０は、キャビネット１０の背後から前方パネル１４へ延在し（前方パネル１４が設置されているとき）、電子領域３０からの迷光及びほこりが、ライトボックス２０へ浸入することを遮る。
【００１１】
図６に最も良く示されるように、キャビネット１０は、キャビネット１０の中に形成された受け溝１１を有する。この受け溝１１は、たとえばキャビネット１０中に、ライトエンジン４０の出力端４０ａのマウント位置を包囲する位置で成形できる。
【００１２】
図面に示す例示的な実施形態において、シールド５０は、弾性的に変形可能なシート素材を含む。シート素材は、プラスチック又は金属であってもよく、十分な可撓性を有し、手によって変形されてライトエンジン４０の出力端４０ａを包囲する形状になり、且つシート素材の縁部で、受け溝１１へと嵌入する。シート素材は、たとえば型抜きされてもよく、それにより所望の寸法及び構成を達成して、ライトエンジン４０の出力端４０ａを包囲し且つ受け溝１１へと嵌入する。
【００１３】
シールド５０の構成は、手によって曲げられたときに、ライトエンジン４０の隣接面周りを、出力端４０ａと電子端４０ｂとの間の位置で且つキャビネットの複数部分周りで、緊密に嵌合（fit）するよう且つ受け溝１１へと挿入されるよう成される。受け溝１１は、主要キャビネットにあり、それが一時的に保持される。本発明の例示的な実施形態において、受け溝１１は、キャビネット１０上に設けられて、ライトエンジン４０を受け、且つシールド５０は、当該受け溝１１へ緊密に嵌合する。
【００１４】
図５及び図６に最もよく示されるように、シールド５０は、キャビネット１０の背壁からキャビネット１０の前方へ延在し、ライトボックス２０を電子領域３０から隔てている。それゆえ、電子領域３０に存在するほこり及び迷光は、ライトボックス２０へ入ることができない。ほこり及び迷光は、投写型ディスプレイの性能に悪影響を及ぼす。
【００１５】
図６に示す前蓋１４は、チャネル又は溝１５を有することができる。溝１５は、前蓋１４がキャビネット１０上に設置されたとき、前蓋１４の内面に形成されて、シールド５０の第２縁部を受ける。シールド５０の第２縁部は、第１縁部とは反対側にある。溝１５は、連続するチャネルとして形成されてもよく、又はたとえば２つのリブ間に形成されてもよい。前蓋１４は、シールド５０へ整合された溝１５とともに、ライトエンジン４０の上に位置付けられ、次に、前蓋１４は、キャビネット１０へ取り付けられる。本発明の例示的な実施形態において、前蓋１４は、取り外し可能にキャビネット１０へ取り付けられるので、前蓋１４は、整備のために取り外されることができ、投写型ディスプレイの前方からライトエンジン４０へのアクセスを提供し、それによって整備を容易にする。
【００１６】
前蓋１４の取り付けは、サンドイッチ構造（キャビネット１０、シールド５０、及び前蓋１４）を作成し、サンドイッチ構造は、効果的にバリアを形成する。バリアは、キャビネット１０の電子領域３０に入る、ほこりを含んでいる冷気及び迷光が、ライトボックス２０中へ送られることを防ぐ。
【００１７】
型抜きされたシート素材部分は、本質的に費用が低く、且つ射出成形部品又は薄板部品と比較して、低い工具費を有する。型抜きされたシート素材部分はまた、「入れ子」の利点も有する。入れ子状にすることで、在庫に要する空間の大きさが、低減する。更に、シート素材は弾性的に変形可能なシート素材であるので、シールド５０は、ライトエンジン４０が設置された後にキャビネット１０へと嵌入でき、且つシールド５０が所定の位置に位置付けられた後に、ライトエンジン４０を調整することもまた可能である。
【００１８】
図示される投写型ディスプレイにおいて、キャビネット１０は、エレクトロニクスが中にマウントされた電子領域３０、中にミラー２２がマウントされたライトボックス２０、及びそこを通る光路を有する。ライトエンジン４０は、出力端４０ａとともにライトボックス２０へとマウントされ、且つ電子端４０ｂは、電子領域３０に隣接する。シールド５０は、第１縁部で受け溝１１へと挿入され、受け溝１１は、たとえばキャビネット１０の背壁の内面に形成され、且つ前方に突出して、電子領域３０を、ライトボックス２０からライトエンジン４０で隔てる。ライトエンジン４０の表面に適合しているシールもまた設けられてもよく、ライトエンジン４０の強化されたシーリングを、シールド５０、キャビネット１０、又はシールド５０とキャビネット１０の両方に提供する。
【００１９】
前蓋１４がキャビネット１０上に設置されるとき、前蓋１４は、キャビネット１０とともにサンドイッチ構造を形成して、シールド５０を、前蓋１４とキャビネット１０との間に保持する。
【図面の簡単な説明】
【００２０】
【図１Ａ】本発明の例示的な実施形態による投写型ディスプレイの正面斜視図であり、投写型ディスプレイのライトエンジンを示すため、フロントパネルが取り外された図を示す。
【図１Ｂ】本発明の例示的な実施形態による投写型ディスプレイの正面斜視図であり、ライトボックスを示すため、スクリーンが取り外された図を示す。
【図２】図１Ａ及び図１Ｂの投写型ディスプレイの詳細な正面斜視図であり、前方パネルが、所定の位置にある図を示す。
【図３】図１Ａ、図１Ｂ及び図２の投写型ディスプレイの詳細な正面斜視図であり、前方パネルが、取り外された図を示す。
【図４】図１Ａ、図１Ｂ、図２及び図３の投写型ディスプレイの分解正面図である。
【図５】本発明の例示的な一実施形態による投写型ディスプレイのライトエンジン及びバリアの詳細な正面図を示す。
【図６】図１Ａ、図１Ｂ、図２、図３、図４及び図５の投写型ディスプレイの詳細な斜視図であり、ライトエンジンが、明瞭さのため省略された図を示す。
【図１Ａ】
2007535707.tif 000003
【図１Ｂ】
2007535707.tif 000004
【図２】
2007535707.tif 000005
【図３】
2007535707.tif 000006
【図４】
2007535707.tif 000007
【図５】
2007535707.tif 000008
【図６】
2007535707.tif 000009
【国際調査報告】
2007535707.tif 000010
2007535707.tif 000011
2007535707.tif 000012